(57)【要約】【課題】水はけ性に優れた床材を提供する。【解決手段】基材層上に装飾層４が積層されてなる長尺状の床材であって、前記装飾層４の表面側には、短手方向に延びる第１の溝４１と、長手方向に延びる第２の溝４２が形成されており、前記第１の溝４１の流状黒化面積は、１０〜３０％であり、前記第２の溝４２の流状黒化面積は、３０〜５０％であり、前記第１の溝４１は、前記第２の溝４２と交差する部分４３を含んで、短手方向の一端縁から他端縁に至る連続した溝として形成されている。【選択図】図４
2019090259.tif 000002
【特許請求の範囲】
【請求項１】
基材層上に装飾層が積層されてなる長尺状の床材であって、
前記装飾層の表面側には、短手方向に延びる第１の溝と、長手方向に延びる第２の溝が形成されており、
前記第１の溝の流状黒化面積は、１０〜３０％であり、
前記第２の溝の流状黒化面積は、３０〜５０％であり、
前記第１の溝は、前記第２の溝と交差する部分を含んで、短手方向の一端縁から他端縁に至る連続した溝として形成されている床材。
【請求項２】
前記第１の溝及び前記第２の溝は、同じ深さに形成されている請求項１に記載の床材。
【請求項３】
前記第１の溝の深さは、０．１〜１．０ｍｍである請求項１又は２に記載の床材。
【請求項４】
前記第１の溝及び前記第２の溝は、それぞれ０．２〜３．０ｍｍの幅に形成されている請求項１〜３のいずれか一項に記載の床材。
【請求項５】
前記第１の溝及び前記第２の溝は、それぞれ０．２〜３．０ｍｍのピッチで形成されている請求項１〜４のいずれか一項に記載の床材。
【発明の詳細な説明】
【技術分野】
【０００１】
本発明は、床材に関する。
【背景技術】
【０００２】
床材の意匠性を高めるため、表面に絵柄を印刷したり凹凸模様をつけたりして装飾性を付与することが行われている。最近では、例えば、表面に木目調のエンボス加工を施すことによって、天然木に近似した立体感のある外観や触感を付与することが提案されている。特許文献１には、床材の表面に積層された樹脂製の層にエンボス加工を施すことによって凹状の溝を形成し、床材の表面に天然木に類似した木目調のエンボス模様を形成することが記載されている。
【先行技術文献】
【特許文献】
【０００３】
【特許文献１】特開２００９−８４９０３号公報
【発明の概要】
【発明が解決しようとする課題】
【０００４】
ところで、こうした木目調のエンボス模様が形成された床材をマンションの共用廊下やベランダ等の長い領域に使用する場合、天然木に近似した外観を表現するために、木目調の図柄が当該領域の長手方向に沿うように配置される。そのため、エンボス加工により形成された凹状の溝は、床材の略長手方向に延びるように配置されることになる。
【０００５】
ここで、マンションの共用廊下やベランダ等の室外では、雨水やエアコンの室外機からの排水等により、床材の表面に水が溜まった状態となりやすい。床材の表面に溜まった水は、冬季に床材の表面が氷点下に晒されたりすると、凍った状態となる場合があり、床材の表面が滑りやすくなる。
【０００６】
そこで、室外に適用される床材では、表面に水が溜まりにくいように、短手方向の一端縁を他端縁より低くして、床材の表面に傾斜角度をつけることが一般に行われている。しかし、木目調の図柄がエンボス加工されたような床材では、凹状の溝が長手方向に延びているため、床材の表面に傾斜角度をつけても、溝内に溜まった水を取り除くことが難しい場合があり、水はけ性の点から改善の余地があるものであった。
【０００７】
本発明は、こうした従来の課題を解決するためになされたものであり、その目的は、水はけ性に優れた床材を提供することである。
【課題を解決するための手段】
【０００８】
上記の課題を解決するため、本発明の床材は、基材層上に装飾層が積層されてなる長尺状の床材であって、前記装飾層の表面側には、短手方向に延びる第１の溝と、長手方向に延びる第２の溝が形成されており、前記第１の溝の流状黒化面積は、１０〜３０％であり、前記第２の溝の流状黒化面積は、３０〜５０％であり、前記第１の溝は、前記第２の溝と交差する部分を含んで、短手方向の一端縁から他端縁に至る連続した溝として形成されている。
【０００９】
ここで、「第１の溝の流状黒化面積」とは、装飾層の表面全体の面積に対して第１の溝が占める面積の割合をいう。同様に、「第２の溝の流状黒化面積」とは、装飾層の表面全体の面積に対して第２の溝が占める面積の割合をいう。
【００１０】
上記の構成によれば、装飾層の表面全体に占める第２の溝の割合が、第１の溝の割合より相対的に高い。そのため、床材の長手方向に延びる第２の溝が、短手方向に延びる第１の溝より目立ちやすい一方、第１の溝は目立ちにくい。装飾層の表面には、第２の溝によって形成された模様が視認されやすく装飾性が付与される。
【００１１】
また、短手方向に延びる第１の溝は、長手方向に延びる第２の溝と交差し、当該交差する部分を含んで床材の短手方向の一端縁から他端縁に至る連続した溝として形成されている。そのため、床材の短手方向の一端縁を他端縁より高くして床材の表面に傾斜角度をつけて配置すると、床材上に溜まった水が、短手方向に連続して延びる第１の溝に沿って短手方向の一端縁から他端縁に向かって流れる。その結果、水はけ性に優れた床材が得られる。長手方向に延びる第２の溝で、装飾層の表面に装飾性を付与して意匠性を向上させつつ、短手方向に延びる第１の溝で、装飾層の表面の水を流れやすくすることができる。
【００１２】
なお、「短手方向に延びる第１の溝」とは、第１の溝が長尺状の床材の短手方向と一致する方向に直線状に延びる場合以外にも、短手方向に対してやや傾斜する方向に直線状に延びる場合や、直線状ではなく、少なくとも一部が曲線状に曲がって全体が短手方向に延びる場合も含むものとする。同様に「長手方向に延びる第２の溝」とは、第２の溝が長尺状の床材の長手方向と一致する方向に直線状に延びる場合以外にも、長手方向に対してやや傾斜する方向に直線状に延びる場合や、直線状ではなく、少なくとも一部が曲線状に曲がって全体が長手方向に延びる場合も含むものとする。
【００１３】
上記の発明において、前記第１の溝及び前記第２の溝は、同じ深さに形成されていることが好ましい。
上記の発明において、前記第１の溝の深さは、０．１〜１．０ｍｍであることが好ましい。
【００１４】
上記の発明において、前記第１の溝及び前記第２の溝は、それぞれ０．２〜３．０ｍｍの幅に形成されていることが好ましい。
上記の発明において、前記第１の溝及び前記第２の溝は、それぞれ０．２〜３．０ｍｍのピッチで形成されていることが好ましい。
【発明の効果】
【００１５】
本発明によれば、水はけ性に優れた床材が得られる。
【図面の簡単な説明】
【００１６】
【図１】床材の部分断面図。
【図２】床材の部分正面図。
【図３】装飾層の部分正面図。
【図４】（ａ）は、装飾層について説明する図、（ｂ）は、(ａ)において一点鎖線で囲んだ部分について説明する図、（ｃ）は、（ａ）において二点鎖線で囲んだ部分について説明する図。
【発明を実施するための形態】
【００１７】
本発明を具体化する一実施形態について説明する。なお、本発明は、以下の実施形態に限定されるものではない。
図１および図２に示すように、床材１は長尺シート状をなしており、裏面側から順に基材層２、印刷層３、および装飾層４が積層されて構成されている。床材１を表面側から見ると、印刷層３に印刷されている木目模様を模した図柄が装飾層４を通して視認可能となっている。基材層２、印刷層３、および装飾層４は、図示しない接着層を介して接合されている。接着層の材質は特に限定されず、従来公知のものを使用することができる。床材１の全体の厚みは、１．５〜１０．０ｍｍであることが好ましい。
【００１８】
基材層２は、床材１の最下層で支持する層であり、適度な強度、適度な弾性を有している。基材層２の材質は特に限定されないが、従来公知の熱可塑性樹脂により形成されていることが好ましい。熱可塑性樹脂としては、例えば、ポリプロピレン樹脂、ポリエチレン樹脂等のポリオレフィン系樹脂、エチレン共重合体系樹脂、塩化ビニル樹脂、ポリアミド系樹脂、ウレタン系樹脂、アクリル系樹脂等が挙げられる。基材層２の厚みは、１．０〜８．０ｍｍであることが好ましい。
【００１９】
図２に示すように、印刷層３は、木目模様を模した図柄がその表面に印刷された層である。木目模様を模した図柄は、木目が床材１の略長手方向に沿うように印刷されている。印刷層３の材質は特に限定されないが、有色の熱可塑性樹脂により形成されていることが好ましい。熱可塑性樹脂としては、例えば、基材層２で例示した熱可塑性樹脂と同様のものが挙げられる。印刷層３の厚みは、０．１〜２．０ｍｍであることが好ましい。
【００２０】
装飾層４は、無色透明の層である。そのため、装飾層４を通して印刷層３に印刷された木目模様を模した図柄を視認可能となっている。装飾層４の材質は特に限定されないが、従来公知の熱可塑性樹脂により形成されていることが好ましい。熱可塑性樹脂としては、例えば、基材層２で例示した熱可塑性樹脂と同様のものが挙げられる。装飾層４の厚みは、０．１〜２．０ｍｍであることが好ましい。
【００２１】
図１に示すように、装飾層４の表面には、エンボス加工を施すことによって形成された凹凸模様が設けられている。
図３および図４（ａ）に示すように、装飾層４の表面の凹凸模様は、長尺状の床材１の短手方向に延びる第１の溝４１と、床材１の長手方向に延びる第２の溝４２とで構成されている。なお、図４は、図３で示される装飾層４の一部を拡大して示す図である。また、図３および図４では、第１の溝４１および第２の溝４２の形成位置をわかりやすくするために、装飾層４の表面上で第１の溝４１および第２の溝４２が形成された部分を黒塗りで示している。
【００２２】
図３に示すように、長手方向に延びる第２の溝４２は、床材１の長手方向に一致する方向に直線状に延びるものだけでなく、長手方向に対してやや傾斜する方向に直線状に延びるものや、直線状ではなく、少なくとも一部が曲線状に曲がって全体がほぼ長手方向に延びるものが含まれている。また、図４（ａ）に示すように、第２の溝４２は、長手方向に連続して延びているものだけでなく、長手方向の途中で途切れるものが含まれている。こうした第２の溝４２は、印刷層３に印刷された木目模様を模した図柄の木目に対して略沿う方向に延びている。
【００２３】
第２の溝４２がこうした形状に設けられていることにより、装飾層４の表面には、木目模様に類似した凹凸模様（溝）が形成されることになる。なお、第２の溝４２は、印刷層３に印刷された図柄の木目の位置に一致している必要はなく、木目に略沿う方向に延びていればよい。こうすることで、印刷層３の図柄の木目と併せて、天然木に近似したより立体感のある外観を認識することができる。
【００２４】
図３に示すように、短手方向に延びる第１の溝４１は、第２の溝４２に略直交する方向に延びており、また、印刷層３に印刷された木目模様を模した図柄の木目に対して略直交する方向に延びている。第１の溝４１は、床材１の短手方向に一致する方向に直線状に延びるものだけでなく、短手方向に対してやや傾斜する方向に直線状に延びるものや、直線状ではなく、少なくとも一部が曲線状に曲がって全体がほぼ短手方向に延びるものが含まれている。また、図４（ａ）に示すように、短手方向全長に亘って連続して延びているものだけでなく、短手方向の途中で途切れるものが含まれている。
【００２５】
図４（ａ）に示すように、短手方向に延びる第１の溝４１及び長手方向に延びる第２の溝４２は、互いに交差する部分である交差部４３を有している。
第１の溝４１は、長尺状の床材１の短手方向の一端縁から他端縁に至る連続した溝として形成されている。ここで、「床材１の短手方向の一端縁から他端縁に至る連続した溝」の態様について説明する。図４（ａ）に一点鎖線で囲んだ部分では、短手方向に延びる第１の溝４１は、略直線状に延びている（図４（ｂ））。つまり、「床材１の短手方向の一端縁から他端縁に至る連続した溝」には、図４（ｂ）に示すように、一つの第１の溝４１が短手方向の一端縁から他端縁まで延びる連続した溝として形成されている場合がある。一方、図４（ａ）に二点鎖線で囲んだ部分では、短手方向に延びる第１の溝４１ａが、短手方向途中で途切れている（図４（ｃ））。そして、第１の溝４１ａは、交差部４３で第２の溝４２ａと交差し、第２の溝４２ａは、交差部４３で第１の溝４１ｂと交差している。つまり、「床材１の短手方向の一端縁から他端縁に至る連続した溝」には、図４（ｃ）に示すように、複数の第１の溝４１ａ、４１ｂが、交差部４３及び第２の溝４２ａを含んで、短手方向の一端縁から他端縁まで延びる連続した溝として形成されている場合がある。図４（ｂ）および図４（ｃ）に示されるいずれの場合も、第１の溝４１は、床材１の短手方向の一端縁から他端縁まで途切れることのない溝として形成されており、こうした態様を、「床材１の短手方向の一端縁から他端縁に至る連続した溝」という。
【００２６】
第１の溝４１は、装飾層４の表面全体の面積に対して、１０〜３０％の割合で形成されていることが好ましい。換言すれば、第１の溝４１の流状黒化面積は、１０〜３０％であることが好ましい。また、第２の溝４２は、装飾層４の表面全体の面積に対して、３０〜５０％の割合で形成されていることが好ましい。換言すれば、第２の溝４２の流状黒化面積は、３０〜５０％であることが好ましい。木目に略沿う方向に延びる第２の溝４２の流状黒化面積の割合が、木目に略直交する方向に延びる第１の溝４１の流状黒化面積の割合に比べて高いことで、木目に略沿う方向に延びる第２の溝４２が目立ちやすく、装飾層４によって天然木に近似した立体感のある外観を認識することができる。また、木目に略直交する方向に延びる第１の溝４１を目立ちにくくすることができる。
【００２７】
第１の溝４１の深さ及び第２の溝４２の深さは、それぞれ０．１〜１．０ｍｍであることが好ましい。また、第１の溝４１の深さと第２の溝４２の深さとは、同じであることが好ましい。深さが同じであることにより、床材１の表面に付着した水は、第１の溝４１及び第２の溝４２を通って流れやすくなる。
【００２８】
第１の溝４１の幅及び第２の溝４２の幅は、ともに０．２〜３．０ｍｍであることが好ましい。また、第１の溝４１のピッチ及び第２の溝４２のピッチは、ともに０．２〜３．０ｍｍであることが好ましい。溝４１、４２の幅、ピッチをこうした範囲とすることにより、床材１の表面の防滑性を向上させることができる。
【００２９】
次に、本実施形態の床材１の作用について説明する。
床材１をマンションの共用廊下やベランダ等の室外に設置すると、雨水やエアコンの室外機からの排水等により、床材１の表面に水が溜まる場合がある。また、床材の表面に溜まった水は、冬季に床材の表面が氷点下に晒されたりすると、凍った状態となる場合がある。
【００３０】
本実施形態の床材１には、表面を覆う装飾層４が設けられ、装飾層４の表面には、床材１の短手方向の一端縁から他端縁に至る連続した第１の溝４１が形成されている。そのため、床材１の短手方向の一端縁を他端縁より低くして床材１の表面に傾斜角度をつけて設置すると、床材１の表面に溜まった水は、床材１の短手方向の一端縁から他端縁に至る連続した第１の溝４１を通って他端縁側から一端縁側に流れる。短手方向に延びる第１の溝４１が形成されていることにより、床材１の表面に溜まった水が除去される。そして、床材１の表面温度が下がった場合であっても、床材１の表面に凍った部分ができることが抑制される。
【００３１】
本実施形態によれば、以下の効果を奏することができる。
（１）  本実施形態の床材１では、装飾層４の表面に、第２の溝４２と交差する部分である交差部４３を含んで、床材１の短手方向の一端縁から他端縁に至る連続した溝となる第１の溝４１が形成されている。そのため、床材１の表面に溜まった水は、短手方向の端縁に向けて流れやすくなり、水はけ性に優れた床材１が得られる。
【００３２】
（２）  本実施形態の床材１では、装飾層４の表面に、第１の溝４１および第２の溝４２による凹凸模様が形成されている。そのため、装飾層４の表面に付与された凹凸形状により滑りにくくなる。防滑性に優れた床材１が得られる。
【００３３】
（３）  本実施形態の床材１では、長手方向に延びる第２の溝４２の装飾層４の表面全体に占める割合が、短手方向に延びる第１の溝４１の装飾層４の表面全体に占める割合より相対的に高い。そのため、床材１の長手方向に延びる第２の溝４２が、短手方向に延びる第１の溝４１より目立ちやすい一方、第１の溝４１は目立ちにくい。装飾層４の表面には、第２の溝４２によって形成された模様、つまり、木目模様に類似した図柄が視認されやすく、床材１に装飾性が付与される。
【００３４】
（４）  本実施形態の床材１では、印刷層３に木目模様を模した図柄が印刷されており、無色透明の装飾層４を通して印刷層３に印刷された図柄が視認できる。そのため、床材１が木目調となり、意匠性が向上する。
【００３５】
上記実施形態は以下のように変更してもよく、また、これらの変更例を適宜組み合わせて適用してもよい。
・  第１の溝４１および第２の溝４２の形成位置は、上記実施形態の図３のような形成位置に限定されない。第１の溝４１が、第２の溝４２と交差する部分４３を含んで、床材１の短手方向の一端縁から他端縁に至る連続した溝として形成されていればよい。
【００３６】
・  床材１が、基材層２と装飾層４のみから構成されていてもよい。
・  床材１に、基材層２、印刷層３および装飾層４以外の一層ないし複数層が積層されていてもよく、各層の少なくとも一層が不織布層であってもよい。この場合、装飾層４は、床材１の最表層に積層される。また、印刷層３は、その表面に印刷された図柄が視認できるように、装飾層４と隣り合わせで積層されていることが好ましい。
【００３７】
・  第１の溝４１と第２の溝４２の深さが同じでなくてもよい。
・  第１の溝４１の深さがすべての部分で同じでなくてもよい。例えば、床材１の短手方向の一端縁から他端縁に行くにしたがって徐々に深くなるように構成されていてもよい。こうすると、床材１の表面に溜まった水が、一端縁から他端縁に向かってより流れやすくなる。同様に、第２の溝４２の深さがすべての部分で同じでなくてもよい。
【００３８】
・  装飾層４は無色透明でなくてもよく、有色透明であってもよい。この場合、例えば、薄茶色や薄黄色の透明熱可塑性樹脂としてもよい。こうすることで、天然木に類似した色調を表現でき、意匠性をより向上させることができる。
【００３９】
・  装飾層４は不透明熱可塑性樹脂としてもよい。この場合、装飾層４に木目模様が印刷されていてもよい。
・  印刷層３に印刷された図柄は木目模様でなくてもよい。また、印刷層３に図柄が印刷されていなくてもよい。この場合、印刷層３は、有色不透明な熱可塑樹脂製であることが好ましい。
【符号の説明】
【００４０】
１…床材、２…基材層、３…印刷層、４…装飾層、４１…第１の溝、４２……第２の溝、４３…交差部（交差する部分）。
【図１】
2019090259.tif 000003
【図２】
2019090259.tif 000004
【図３】
2019090259.tif 000005
【図４】
2019090259.tif 000006